(57)【要約】      （修正有）【課題】ペン先から液漏れしないようペン先の最適部位が弁機構に保持される液状化粧品塗布具を提供する。【解決手段】ペン先１２を備えた本体部１３のペン先１２側に嵌合するキャップ１４とからなり、本体部１３は、筒部１５と、該筒部１５の先端部１５ｂに挿着される筒状のスプリングホルダー１６と、該スプリングホルダー１６のスプリング収納部１７に収納されるスプリング１８と、スプリング収納部１７に沿って移動自在に挿着されるチップホルダー１９と、該チップホルダー１９に保持されるペン先１２とを少なくとも備え、キャップ１４は、液状化粧品の収納室３０を備えると共に、該収納室３０を確立させるための栓部材３１が配設され、該栓部材３１は、略円筒状に形成されてその内側に弁機構３２が一体に形成され、チップホルダー１９は、スプリング１８によって一定の押圧力で先端方向に付勢されて、ペン先１２の一定部位が弁機構３２に保持される。【選択図】図１
2014161354.tif 000002
【特許請求の範囲】
【請求項１】
先端にペン先を備えた本体部と、前記ペン先側に嵌合するキャップとからなる液状化粧品塗布具であって、
前記本体部は、筒部と、該筒部の先端部に挿着される筒状のスプリングホルダーと、該スプリングホルダーのスプリング収納部に収納されるスプリングと、前記スプリング収納部に沿って移動自在に挿着されるチップホルダーと、該チップホルダーに保持される前記ペン先とを少なくとも備え、
前記キャップは、液状化粧品の収納室を備えると共に、該収納室を確立させるための栓部材が配設され、
該栓部材は、略円筒状に形成されてその内側に弁機構が一体に形成され、
前記チップホルダーは、前記スプリングによって一定の押圧力で先端方向に付勢されて、前記ペン先の一定部位が前記弁機構に保持されるように構成されていること
を特徴とする液状化粧品塗布具。
【請求項２】
前記チップホルダーの外周には、複数のハネ部が形成され、
該ハネ部が前記スプリング収納部の内周面に形成された溝部に沿って摺動可能な構成であること
を特徴とする請求項１に記載の液状化粧品塗布具。
【請求項３】
前記チップホルダーには、保持したペン先が液状化粧品を吸収する際に当該ペン先に含まれる空気を逃がすための小孔が形成されていること
を特徴とする請求項１に記載の液状化粧品塗布具。
【発明の詳細な説明】
【技術分野】
【０００１】
本発明は、アイライナー液等の液状化粧品を塗布する液状化粧品塗布具に関するものである。
【背景技術】
【０００２】
従来、この種の液状化粧品塗布具としては、図５に示す構成のものが知られている。この液状化粧品塗布具１は、先端にペン先２を取り付けたペン先本体３と、ペン先２側に嵌合するキャップ４とを備えている。キャップ４内にはアイライナー液の収納室５を設けると共に、収納室５を確立させるための軟質材からなる栓部材６が配設され、栓部材６は、略円筒状に形成されてその内側に小孔を有する薄膜状の弁機構７が設けられる。ペン先本体３には、キャップ４を閉じたときに栓部材６の端部に当接して収納室５を密封する封止環８を設けた構成である（特許文献１参照）。
【０００３】
このような構成の液状化粧品塗布具１は、アイライナー液がキャップ４の収納室５に収納されて、栓部材６と封止環８とによって収納室５及びペン先２が密封されるので、アイライナー液の液漏れや乾燥及び酸化による劣化を防止できる。
【先行技術文献】
【特許文献】
【０００４】
【特許文献１】実開平５−３９４１５号公報
【特許文献２】米国特許第５０９７８５３号公報
【発明の概要】
【発明が解決しようとする課題】
【０００５】
この従来例の液状化粧品塗布具１においては、製造時におけるペン先２の長さのバラツキや、ペン先２を定位置にセットする際の位置設定のバラツキが生じることがある。この場合、ペン先２を長く挿入し過ぎると弁機構７が必要以上にペン先２の途中を圧迫して、当該ペン先２が変形するおそれがある。また、この逆にペン先２が短いと弁機構７に所定の長さまで挿入できないので、ペン先２を通して液漏れが発生するという問題点を有している。
【０００６】
また、キャップ４は、スナップインと言われる引き抜いて取り外す方式であるので、引き抜いた瞬間に、収納室５内のアイライナー液が吸引されて外に飛び出し、液漏れするという欠点を有していた。
【０００７】
そこで、この液漏れの欠点を解決するために開発されたのが、米国特許第５０９７８５３号公報に記載のアイライナーである（特許文献２参照）。このアイライナーは、キャップと本体とに互いに螺合するネジ溝を設けて、キャップを回転して取り外すネジ式であって、この場合は、キャップを瞬時に引き抜かないので、収納室からアイライナー液が吸引されて外に飛び出すことがない。
【０００８】
しかしながら、このネジ式の場合は、製作上の手間が掛かり、金型の価格が高く、コストアップの要因となるという問題点を有している。
【０００９】
従って、従来例における液状化粧品塗布具１においては、ペン先２の長さのバラツキによって生じる問題や、ペン先２の正確な位置設定の困難性に由来する問題を解消することと、キャップ４を引き抜いた瞬間の吸引による液漏れを防止しつつ、キャップをネジ式にすることによって生ずる製造コストの上昇を防ぐこととに解決しなければならない課題を有している。
【課題を解決するための手段】
【００１０】
前記従来例の課題を解決するための本発明の要旨は、先端にペン先を備えた本体部と、前記ペン先側に嵌合するキャップとからなる液状化粧品塗布具であって、前記本体部は、筒部と、該筒部の先端部に挿着される筒状のスプリングホルダーと、該スプリングホルダーのスプリング収納部に収納されるスプリングと、前記スプリング収納部に沿って移動自在に挿着されるチップホルダーと、該チップホルダーに保持される前記ペン先とを少なくとも備え、前記キャップは、液状化粧品の収納室を備えると共に、該収納室を確立させるための栓部材が配設され、該栓部材は、略円筒状に形成されてその内側に弁機構が一体に形成され、前記チップホルダーは、前記スプリングによって一定の押圧力で先端方向に付勢されて、前記ペン先の一定部位が前記弁機構に保持されるように構成されていることである。
【００１１】
また、前記チップホルダーの外周には、複数のハネ部が形成され、該ハネ部が前記スプリング収納部の内周面に形成された溝部に沿って摺動可能な構成であること、；
前記チップホルダーには、保持したペン先が液状化粧品を吸収する際に当該ペン先に含まれる空気を逃がすための小孔が形成されていること、；
を含むものである。
【発明の効果】
【００１２】
本発明に係る液状化粧品塗布具によれば、チップホルダーがスプリング収納部に沿って移動自在であると共に、スプリングによって一定の押圧力で先端方向に付勢されて、ペン先の一定部位が弁機構に保持されるように構成されていることによって、ペン先の長さのバラツキが生じたり、ペン先の正確な位置設定が困難であっても、ペン先は常に最適部位が弁機構に保持される。
従って、従来例のようにペン先の弁機構への挿入部位がバラツクことによって、ペン先が変形して痛んだり、ペン先から液漏れが起こるという不都合が発生しない。
更に、キャップを引き抜くときには、チップホルダーがスプリングによって先端方向に付勢されているので、弁機構に保持されているペン先が当該スプリングの弾性で緩やかに後退することとなる。つまり、ペン先が瞬時に引き抜かれないので、収納室からアイライナー液が吸引されて外に飛び出すことがないという種々の優れた効果を奏する。
【００１３】
チップホルダーの外周には、複数のハネ部が形成され、該ハネ部がスプリング収納部の内周面に形成された溝部に沿って摺動可能な構成であることによって、チップホルダーがスプリング収納部に沿って正確に且つスムーズに移動することができるという優れた効果を奏する。
【００１４】
チップホルダーには、保持したペン先が液状化粧品を吸収する際に当該ペン先に含まれる空気を逃がすための小孔が形成されていることによって、ペン先に含まれる空気がチップホルダーの外に移動できるので、ペン先にアイライナー液が良好に吸引されるいう優れた効果を奏する。
【図面の簡単な説明】
【００１５】
【図１】本発明に係る液状化粧品塗布具１１の横断面図である。
【図２】筒部１５の横断面図である。
【図３】スプリングホルダー１６と、スプリング１８と、チップホルダー１９と、ペン先１２とを分離して示す横断面図である。
【図４】キャップ１４の横断面図である。
【図５】従来例に係る液状化粧品塗布具１の横断面図である。
【発明を実施するための形態】
【００１６】
次に、本発明の実施の形態について図面を参照しながら説明する。まず、図１において、符号１１は液状化粧品塗布具を示し、この液状化粧品塗布具１１は、先端にペン先１２を備えた本体部１３と、ペン先１２側に嵌合するキャップ１４とから構成される。
【００１７】
また、本体部１３は、筒部１５と、筒部１５の先端部１５ｂに挿着されるスプリングホルダー１６と、スプリングホルダー１６のスプリング収納部１７に収納されるスプリング１８と、スプリング収納部１７に沿って移動自在に挿着されるチップホルダー１９と、チップホルダー１９に保持されるペン先１２とを備える。
【００１８】
筒部１５は、図２に示すように、後端部１５ａが閉塞して筒状に形成されて、先端部１５ｂが開口しており、この先端部１５ｂの近傍の内周面には複数段の段部２０が形成されている。
【００１９】
スプリングホルダー１６は、図３に示すように、略筒状に形成されて、後端部１６ａ寄りの外周面には複数段の段部２１が形成されており、後端部１６ａを筒部１５の先端部１５ｂから挿入して取り付けられる（図２及び図３の矢印Ａ参照）。
【００２０】
また、スプリングホルダー１６は、途中の外周面に沿って断面Ｌ字状の凸部２２が設けられており、この凸部２２の後端２２ａ側と筒部１５の先端部１５ｂとが当接する。また、凸部２２の先端２２ｂ側と後述するキャップ１４の一端部１４ａとが当接するようになっている。
【００２１】
スプリングホルダー１６の先端部１６ｂ側の外周面には、段部２３が形成されている。また、スプリングホルダー１６の内部は、筒状のスプリング収納部１７が設けられており、このスプリング収納部１７には、図３に示すように、スプリング１８が収納される（矢印Ｂ参照）。
【００２２】
また、スプリング収納部１７の内周面には、長手方向に沿って複数本の溝部２４が形成されており、この溝部２４の先端部１６ｂ寄りの位置には、後述するハネ部２６のストッパー用突起２５が設けられている。
【００２３】
チップホルダー１９は、図３に示すように、略筒状に形成されており、後端部１９ａ側をスプリング収納部１７に沿って挿着する（矢印Ｃ参照）。また、チップホルダー１９の後端部１９ａがスプリング１８の先端１８ｂ側と当接する。
【００２４】
チップホルダー１９の外周面の途中には、複数のハネ部２６が形成されており、このハネ部２６が、スプリング収納部１７の内周面に形成された溝部２４に沿って摺動可能な構成になっていると共に、当該チップホルダー１９がスプリング収納部１７の長手方向に沿って移動自在に構成される。従って、チップホルダー１９がスプリング収納部１７に沿って正確に且つスムーズに移動することができる。また、ハネ部２６の先端２６ｂ側が、溝部２４のストッパー用突起２５に当接して、チップホルダー１９の抜け止がなされる仕組みになっている。
【００２５】
チップホルダー１９の内部には、ペン先１２の保持部２７が形成されており、この保持部２７の後端部１９ａ寄りの適宜位置には、小孔２８が形成されている。この小孔２８の存在によって、ペン先１２に含まれる空気がチップホルダー１９の外に移動できるので、ペン先１２にアイライナー液が良好に吸引される。
【００２６】
ペン先１２は、ナイロン繊維やポリエステル繊維等の繊維をポリウレタン樹脂等で固めたものであって、その後端部１２ａ側を保持部２７に挿着する（矢印Ｄ参照）。また、ペン先１２の先端部１２ｂ側は、先細りの形状に形成される。なお、ペン先１２は、図３に示した先細り形状のものに限られるのではなく、使用される液状化粧品の種類や液状化粧品を塗布する目的、部位などの違いによって、種々な先端形状であっても良いことは勿論である。
【００２７】
キャップ１４は、図４に示すように、一端部１４ａが開口して筒状に形成されており、他端部１４ｂが閉塞している。一端部１４ａ寄りの内周面には、段部２９が形成されている。
【００２８】
キャップ１４の内部には、アイライナー液等の液状化粧品が充填される収納室３０を備えると共に、収納室３０を確立させて液状化粧品が漏れるのを防止するための栓部材３１が配設される。
【００２９】
栓部材３１は、略円筒状に形成されてその中央部に小孔を有した膜部材からなる弁機構３２が一体に形成される。弁機構３２の小孔にペン先１２が挿入されると、当該弁機構３２が押し広げられて（図１参照）、ペン先１２が収納室３０の内部に入って液状化粧品が吸収される。
【００３０】
液状化粧品塗布具１１を使用する場合には、キャップ１４を引き抜いて取り外し、液状化粧品を吸収したペン先１２を露出させる。ペン先１２が栓部材３１から抜き出されると、弁機構３２は弾性で閉塞して液体を漏らさない元の形状になる。従って取り外したキャップ１４から液状化粧品が漏れることはない。また、ペン先１２は、弁機構３２でしごくようにして抜き出されるので、余分な液状化粧品が除去される。再度、キャップ１４を閉じると、ペン先１２は栓部材３１の弁機構３２を押し開いて、収納室３０の内部に入って液状化粧品が吸収される。
【００３１】
以上のように構成される液状化粧品塗布具１１は、チップホルダー１９がスプリング収納部１７に沿って移動自在であると共に、スプリング１８によって一定の押圧力で先端方向に付勢されて、ペン先１２の一定部位が弁機構３２に保持されるように構成されているので、ペン先１２の長さのバラツキが生じたり、ペン先１２の正確な位置設定が困難であっても、ペン先１２は常に最適部位が弁機構３２に保持される。従って、従来例のようにペン先２の弁機構７への挿入部位がバラツクことによって、ペン先２が変形して痛んだり、ペン先２から液漏れが起こるという不都合が発生しない。
【００３２】
更には、キャップ１４を引き抜くときには、チップホルダー１９がスプリング１８によって先端方向に付勢されているので、弁機構３２に保持されているペン先１２が当該スプリング１８の弾性で緩やかに後退することとなる。従って、ペン先１２が瞬時に引き抜かれないので、収納室３０からアイライナー液が吸引されて外に飛び出すことがないのである。
【符号の説明】
【００３３】
１    液状化粧品塗布具
２    ペン先
３    ペン先本体
４    キャップ
５    収納室
６    栓部材
７    弁機構
８    封止環
１１  液状化粧品塗布具
１２  ペン先
１２ａ  後端部
１２ｂ  先端部
１３  本体部
１４  キャップ
１４ａ  一端部
１４ｂ  他端部
１５  筒部
１５ａ  後端部
１５ｂ  先端部
１６  スプリングホルダー
１６ａ  後端部
１６ｂ  先端部
１７  スプリング収納部
１８  スプリング
１８ｂ  先端
１９  チップホルダー
１９ａ  後端部
２０、２１  段部
２２  凸部
２２ａ  後端
２２ｂ  先端
２３  段部
２４  溝部
２５  ストッパー用突起
２６  ハネ部
２６ｂ  先端
２７  保持部
２８  小孔
２９  段部
３０  収納室
３１  栓部材
３２  弁機構
【図１】
2014161354.tif 000003
【図２】
2014161354.tif 000004
【図３】
2014161354.tif 000005
【図４】
2014161354.tif 000006
【図５】
2014161354.tif 000007